(57)【特許請求の範囲】
【請求項１】
マルチキャリア通信システムにおいて、基地局内のスケジューラにより実装される、移動端末から前記基地局へのアップリンク送信のためのキャリアを選択するための方法であって、
第１のアップリンクキャリア上の干渉レベルを第１の干渉目標に従って制御することと、
第２のアップリンクキャリア上の干渉レベルを前記第１の干渉目標よりも高いレベルの干渉を示す第２の干渉目標に従って制御することと、
前記第１のアップリンクキャリアに割当てられた移動端末から、当該移動端末のバッファレベルを示す満足度標識を受信することと、
前記満足度標識に基づいて、前記移動端末を前記第２のアップリンクキャリアに再割当てすることと、
を含む方法。
【請求項２】
前記方法は、低レートデータ送信のための第１のキャリア及び高レートデータ送信のための非第１のキャリアを含むマルチキャリア通信システムのためのものであり、
前記満足度標識に基づいて前記移動端末を第２のアップリンクキャリアに再割当てすることは、前記第１のキャリアと前記非第１のキャリアとの間で前記移動端末をスイッチングすること、を含む、
請求項１に記載の方法。
【請求項３】
前記満足度標識に基づいて前記移動端末を第２のアップリンクキャリアに再割当てすることは、高いバッファレベルを示す前記移動端末からの前記満足度標識に応じて、前記移動端末を前記第１のキャリアから前記非第１のキャリアへ再割当てすること、を含む、請求項２に記載の方法。
【請求項４】
前記移動端末からのアップリンク送信をスケジューリングすること、をさらに含む、請求項２に記載の方法。
【請求項５】
前記移動端末からのアップリンク送信をスケジューリングすることは、前記第１のキャリアに割当てられた前記移動端末が符号分割多重を用いて送信を行うようにスケジューリングすること、を含む、請求項４に記載の方法。
【請求項６】
前記移動端末からのアップリンク送信をスケジューリングすることは、前記非第１のキャリアに割当てられた前記移動端末が時間分割多重を用いて送信を行うようにスケジューリングすること、を含む、請求項４に記載の方法。
【請求項７】
前記第１のアップリンクキャリアは、前記第２のアップリンクキャリアにより搬送されるトラフィックチャネルと関連付けられる制御チャネルを搬送する、請求項１に記載の方法。
【請求項８】
マルチキャリア通信システム内の基地局であって、
２つ以上のアップリンクキャリア上で複数の移動端末により送信されるユーザデータを受信する送受信機と、
前記アップリンクキャリア上の前記複数の移動端末からの送信をスケジューリングするためのスケジューラと、
を備え、
前記スケジューラは、
第１のアップリンクキャリア上の干渉レベルを第１の干渉目標に従って制御し、
第２のアップリンクキャリア上の干渉レベルを前記第１の干渉目標よりも高いレベルの干渉を示す第２の干渉目標に従って制御し、
前記第１のアップリンクキャリア上でユーザデータを送信する移動端末から、当該移動端末のバッファレベルを示す満足度標識を受信し、
前記満足度標識に基づいて、前記移動端末を前記第２のアップリンクキャリアに再割当てする、
ように構成される、
基地局。
【請求項９】
前記基地局は、低レートデータ送信のための第１のキャリア及び高レートデータ送信のための非第１のキャリアを含むマルチキャリア通信システムのためのものであり、
前記スケジューラは、前記満足度標識に基づいて、前記第１のキャリアと前記非第１のキャリアとの間で前記移動端末をスイッチングするように構成される、
請求項８に記載の基地局。
【請求項１０】
前記スケジューラは、高いバッファレベルを示す前記移動端末からの前記満足度標識に応じて、前記移動端末を前記第１のキャリアから前記非第１のキャリアへスイッチングするように構成される、請求項９に記載の基地局。
【請求項１１】
前記スケジューラは、前記アップリンクキャリア上の前記移動端末からのアップリンク送信をスケジューリングするようにさらに構成される、請求項９に記載の基地局。
【請求項１２】
前記スケジューラは、前記第１のキャリアに割当てられた前記移動端末が符号分割多重を用いて送信を行うようにスケジューリングするようにさらに構成される、請求項１１に記載の基地局。
【請求項１３】
前記スケジューラは、前記非第１のキャリアに割当てられた前記移動端末が時間分割多重を用いて送信を行うようにスケジューリングするようにさらに構成される、請求項１１に記載の基地局。
【請求項１４】
前記第１のアップリンクキャリアは、前記第２のアップリンクキャリアにより搬送されるトラフィックチャネルと関連付けられる制御チャネルを搬送する、請求項１１に記載の基地局。
【請求項１５】
移動端末からのアップリンクキャリア上の送信を制御する方法であって、
第１のアップリンクキャリア上の干渉レベルを第１の干渉目標に従って制御することと、
非第１のアップリンクキャリア上の干渉レベルを第２の干渉目標に従って制御することと、
複数の移動端末について個々のデータ送信要件を判定することと、
前記データ送信要件に基づいて、前記移動端末の各々を、前記第１のアップリンクキャリア又は前記非第１のアップリンクキャリアのいずれかの上でユーザデータを送信するように割当てることと、
を含む方法。
【請求項１６】
複数の移動端末について個々のデータ送信要件を判定することは、前記移動端末についてデータレート要件を判定することを含み、前記移動端末は、前記データレート要件に基づいて、前記第１のアップリンクキャリア又は前記非第１のアップリンクキャリアのいずれかの上でユーザデータを送信するように割当てられる、請求項１５に記載の方法。
【請求項１７】
高いデータ送信レートを要求する移動端末は、前記非第１のアップリンクキャリアに割当てられ、低いデータ送信レートを要求する移動端末は、前記第１のアップリンクキャリアに割当てられる、請求項１６に記載の方法。
【請求項１８】
複数の移動端末について個々のデータ送信要件を判定することは、前記移動端末について遅延感受性を判定することを含み、前記移動端末は、前記遅延感受性に基づいて、前記第１のアップリンクキャリア又は前記非第１のアップリンクキャリアのいずれかの上でユーザデータを送信するように割当てられる、請求項１５に記載の方法。
【請求項１９】
高い遅延感受性を伴う移動端末は、前記第１のアップリンクキャリアに割当てられ、低い遅延感受性を伴う移動端末は、前記非第１のアップリンクキャリアに割当てられる、請求項１８に記載の方法。
【請求項２０】
マルチキャリア通信システム内の基地局であって、
２つ以上のアップリンクキャリア上で複数の移動端末により送信されるユーザデータを受信する送受信機と、
前記アップリンクキャリア上の前記複数の移動端末からの送信をスケジューリングするためのスケジューラと、
を備え、
前記スケジューラは、
第１のアップリンクキャリア上の干渉レベルを第１の干渉目標に従って制御し、
非第１のアップリンクキャリア上の干渉レベルを第２の干渉目標に従って制御し、
複数の移動端末について個々のデータ送信要件を判定し、
前記データ送信要件に基づいて、前記移動端末を前記第１のアップリンクキャリア又は前記非第１のアップリンクキャリアのいずれかの上でユーザデータを送信するように割当てる、
ように構成される、
基地局。
【請求項２１】
前記スケジューラは、前記移動端末についてデータレート要件を判定し、前記データレート要件に基づいて、前記第１のアップリンクキャリア又は前記非第１のアップリンクキャリアのいずれかに前記移動端末を割当てるように構成される、請求項２０に記載の基地局。
【請求項２２】
前記スケジューラは、高いデータ送信レートを要求する移動端末を前記非第１のアップリンクキャリアに割当て、低いデータ送信レートを要求する移動端末を前記第１のアップリンクキャリアに割当てるように構成される、請求項２１に記載の基地局。
【請求項２３】
前記スケジューラは、前記移動端末について遅延感受性を判定し、前記遅延感受性に基づいて、前記第１のアップリンクキャリア又は前記非第１のアップリンクキャリアのいずれかに前記移動端末を割当てるように構成される、請求項２０に記載の基地局。
【請求項２４】
前記スケジューラは、高い遅延感受性を伴う移動端末を前記第１のアップリンクキャリアに割当て、低い遅延感受性を伴う移動端末を前記非第１のアップリンクキャリアに割当てるように構成される、請求項２３に記載の基地局。
【発明の詳細な説明】
【技術分野】
【０００１】
本発明は、一般的に、マルチキャリア通信システムに関し、より具体的には、マルチキャリアＣＤＭＡシステムにおけるアップリンクリソースの管理に関する。
【背景技術】
【０００２】
高速アップリンクパケットアクセス（ＨＳＵＰＡ：High  Speed  Uplink  Packet  Access）としても知られている拡張アップリンクは、より高いデータレートをアップリンク上に提供するために、ＷＣＤＭＡ（Wideband  Code  Division  Multiple  Access）標準のリリース６において導入された。ＨＳＵＰＡは、より高次の変調、高速な電力制御、及びソフト合成を伴う高速ハイブリッドＡＲＱ（ＨＡＲＱ）を用いて、アップリンクにおける毎秒１１．５２メガビットまでのデータレートをサポートする。２つの新しい物理アップリンクチャネルがＨＳＵＰＡをサポートするためにＷＣＤＭＡ標準に加えられており、それは拡張専用物理データチャネル（Ｅ−ＤＰＤＣＨ：enhanced  dedicated  physical  data  channel）及び拡張専用物理制御チャネル（Ｅ−ＤＰＣＣＨ：enhanced  dedicated  physical  control  channel）である。Ｅ−ＤＰＤＣＨは、移動端末から、上記標準では拡張ＮｏｄｅＢ（ｅＮｏｄｅＢ）と呼ばれる基地局へユーザデータビットを搬送するために使用されるアップリンクチャネルである。Ｅ−ＤＰＣＣＨは、基地局がＥ−ＤＰＤＣＨを復調し復号することを可能とするのに必要な制御情報を搬送する。
【０００３】
従来のＷＣＤＭＡシステムは、単一のアップリンクキャリアと共に動作する。ＷＣＤＭＡ標準のリリース８では、基地局から移動端末へ、２つの隣接するキャリア上での送信が可能となる。アップリンク上では、移動端末は、依然としてアップリンク送信のために単一のキャリアを使用することになる。しかしながら、移動端末が２つのダウンリンクのキャリアとペアリングされる２つの異なるアップリンクキャリアの間でスイッチングすることは可能となり得る。
【０００４】
ＨＳＵＰＡによりサポートされる高いデータレートの実現は、困難を伴ってきた。アップリンクキャリア上でユーザ端末が高いデータレートで送信を行う場合、受信機において送信信号を復調し及び復号するために、高い信号対干渉及び雑音比（ＳＩＮＲ）が必要とされる。これは、基地局におけるユーザ端末の受信電力が高くなければならないこと、それにより他のユーザ（例えば、音声ユーザ又は低レートデータユーザ）及び重要な制御チャネルに向けての干渉が生じるであろうことを意味する。すると、これら他のユーザには劣化を回避するために送信電力を増加させる必要が生じ、よって受信機における干渉レベルをさらに増加させることになる。干渉レベルが過剰に高くなると、システムは不安定となる。
【発明の概要】
【発明が解決しようとする課題】
【０００５】
従って、高データレートユーザによって発生する干渉を管理するために、アップリンクリソースの管理における改善が必要である。
【課題を解決するための手段】
【０００６】
本発明は、アップリンクリソースを管理してスペクトラム効率及びシステムキャパシティを増加させるための方法及び装置を提供する。本発明の１つの実施形態によれば、基地局には、ダウンリンク送信のための２つ以上のダウンリンクキャリア、及び対応する２つ以上のアップリンクキャリアが割当てられ得る。マルチキャリアモードにおいて、基地局は、同じ移動端末へ２つ以上のダウンリンクキャリア上で信号を送信し、ペアリングされるアップリンクキャリアの１つについて、移動端末から信号を受信し得る。しかしながら、移動端末は、ペアリングされるアップリンクキャリアの１つのみを用いて、アップリンク上で信号を送信する。
【０００７】
異なる干渉レベルでアップリンクキャリアは運用され、トラフィックのタイプ及び／又はデータ送信パラメータに基づいて、利用可能なアップリンクキャリアの間でアップリンクトラフィックが分割され得る。一例として、１つのアップリンクキャリアは、音声、低レートのデータ、及び制御チャネルを搬送するために使用されてよく、一方で、第２のキャリアは、高レートのデータを搬送するために使用されてよい。異なるキャリア上に異なるタイプのトラフィックを分離することにより、アンカーキャリア上で搬送される低レートのデータ、制御チャネル及び他のトラフィックは、高レートのデータ送信に起因する過剰なレベルの干渉から保護される。
【０００８】
また、全体としての効率を改善するために、アップリンクキャリアの間で移動端末をスイッチングすることも可能となり得る。例えば、データ送信レート及び／又はバッファレベルに依存して、移動端末を、低い干渉レベルで運用される第１のアップリンクキャリアから高い干渉レベルで運用される第２のアップリンクキャリアへとスイッチングすることが可能となり得る。また、移動端末のバッファレベルを反映する満足度標識に基づいて、移動端末は、アップリンクキャリアをスイッチングしてもよい。
【図面の簡単な説明】
【０００９】
【図１】例示的なマルチキャリア通信システムを示している。
【図２】マルチキャリア通信システム内の基地局についての例示的なスペクトラム割当てを示している。
【図３】マルチキャリア通信システム内の基地局により実装される、アップリンク送信のためのキャリアを選択するための例示的な方法を示している。
【図４】マルチキャリア通信システム内の基地局により実装される、複数の移動端末からのアップリンク送信を制御するための例示的な方法を示している。
【図５】マルチキャリア通信システムのための例示的な基地局を示している。
【発明を実施するための形態】
【００１０】
ここで図面を参照すると、図１は、移動体通信ネットワーク１０内のユーザ端末１００を示している。ユーザ端末１００は、例えば、セルラ電話、ＰＤＡ（personal  digital  assistant）、スマートフォン、ラップトップコンピュータ、ハンドヘルドコンピュータ又は無線通信機能を有するその他のデバイスを含み得る。ユーザ端末１００は、移動体通信ネットワーク１０のサービングセル又はセクタ１２において、基地局２０と通信する。ユーザ端末１００は、１つ以上のダウンリンク（ＤＬ）チャネル上で基地局２０から信号を受信し、１つ以上のアップリンク（ＵＬ）チャネル上で基地局２０へ信号を送信する。
【００１１】
例示の目的のために、ＷＣＤＭＡ（Wideband  Code  Division  Multiple  Access）システムの文脈において本発明の例示的な実施形態が説明されるであろう。当業者は、しかしながら、本発明が、より一般的には、ＬＴＥ（Long  Term  Evolution）及びＷｉＭＡＸ（ＩＥＥＥ８０２．１６）システムを含む他の無線通信システムにも適用可能であることを理解するであろう。
【００１２】
ＷＣＤＭＡにおける高速アップリンクパケットアクセスとも呼ばれる拡張アップリンクは、基地局２０によりサービスを提供される移動端末１００に高速なアップリンクアクセスを提供する。移動端末１００は、拡張専用チャネル（Ｅ−ＤＣＨ：Enhanced  Dedicated  Channel）という転送チャネル上で、基地局２０へデータを移送する。その名前が示唆しているように、Ｅ−ＤＣＨは、専用のチャネルである。任意の時点で、移動端末１００は、Ｅ−ＤＣＨと関連付けられる物理データチャネルである１つ以上のＥ−ＤＰＤＣＨ上で送信を行い得る。基地局２０におけるスケジューラは、アップリンク上の移動端末１００による送信をコーディネートする。移動端末１００は、バッファレベル、電力ヘッドルーム、ＱｏＳ要件及び他のスケジューリング情報を、基地局２０へスケジューリング要求内で報告する。受信機における瞬間的な干渉レベルと移動端末１００から受信されるスケジューリング情報とに基づいて、基地局２０は、どの移動端末１００がどのようなレートで送信することを許可されるかを判定する。基地局２０は、スケジューリングされた移動端末１００へスケジューリング許可を送信し、当該移動端末１００がいつどのようなレートで送信することを許可されたかを示す。スケジューリング許可は、典型的には、スケジューリングされた移動端末１００について許可されたＥ−ＤＰＤＣＣＨ対パイロット電力比の比率を特定し、当該移動端末１００は、特定された電力比を超過しない限り、いかなる転送ブロックサイズ（データレート）をも選択することができる。一般に、より高い電力比は、より高いデータレートに対応する。
【００１３】
従来のＷＣＤＭＡシステムは、単一のアップリンクキャリアと共に動作する。ＷＣＤＭＡ標準のリリース８は、基地局２０から移動端末１００へ２つの隣接するキャリア上での送信を可能とする。アップリンク上では、移動端末１００は、依然としてアップリンク送信のために単一のキャリアを使用することになる。しかしながら、移動端末１００が２つのダウンリンクのキャリアとペアリングされる２つの異なるアップリンクキャリアの間でスイッチングを行うことは可能となり得る。
【００１４】
図２は、マルチキャリアＨＳＰＡについての例示的なスペクトラム割当てを示している。キャリアＤ１及びＤ２はダウンリンクに割当てられ、ペアリングされた対応するアップリンクキャリアＵ１及びＵ２はアップリンクに割当てられる。マルチキャリアモードにおいて、基地局２０は、キャリアＤ１及びＤ２を移動端末１００へのダウンリンク送信のために使用する。これに対し、移動端末１００は、アップリンクキャリアＵ１及びＵ２の双方ではなくいずれか一方をアップリンク送信のために使用し得る。また、移動端末１００は、移動端末１００のデータ送信レート及び／又は他の送信パラメータに依存して、様々な時間間隔でアップリンクキャリアＵ１及びＵ２の間をスイッチングし得る。ＷＣＤＭＡ標準の将来のリリースにおいて、移動端末から基地局への２つの隣接するキャリア上での送信を導入するという目標を有する、現行の３ＧＰＰワークアイテムが存在する。未だ、移動端末が１度に１つのキャリア上でのみ送信を行うようにすることは、より有益であり得る。
【００１５】
本発明の１つの実施形態によれば、アップリンクキャリアＵ１及びＵ２は、異なる干渉レベルで運用され、アップリンクトラフィックは、アップリンクのスペクトラム効率を改善するために、２つの利用可能なアップリンクキャリアＵ１及びＵ２の間で分割される。より具体的には、１つのアップリンクキャリアはアンカーキャリアとして指定され、相対的に低い干渉レベル（例えば、５−８ｄＢのノイズ上昇（noise  rise））で運用され得る。もう一方のアップリンクキャリアは、ここでは補助キャリア又は非アンカーキャリアと呼ばれ、アンカーキャリアと比較して相対的に高い干渉レベル（例えば、１５ｄＢ以上のノイズ上昇）で運用され得る。アップリンクキャリアＵ１及びＵ２は、異なるタイプのトラフィックについて使用され得る。例えば、アンカーキャリアは、音声、低レートのデータ、遅延に敏感な（delay-sensitive）データ、及び制御チャネルを搬送するために使用され得る。補助キャリアは、高レートのデータ及び高レベルの干渉を生じさせるその他のタイプの送信信号を搬送するために使用され得る。１つの例示的な実施形態において、アンカーキャリアは、アンカーキャリア及び非アンカーキャリアの双方の上の全てのトラフィックチャネルについての制御チャネルを含み得る。移動端末１００は、いかなる所与の時点でも１つのキャリア上でのみ送信を行い得るため、補助キャリア上で送信を行っている場合、関連付けられる制御チャネルをアンカーキャリア上で送信することができない。しかしながら、他の移動端末は、アンカーキャリア上で制御チャネルを送信できる。異なるタイプのトラフィックを異なるキャリア上に分離することにより、アンカーキャリア上で搬送される低レートデータ、制御チャネル及び他のトラフィックは、高レートのデータ送信に起因する過剰なレベルの干渉から保護される。
【００１６】
基地局２０において、セル１２へのサービスの提供は、セル１２の内部の移動端末１００を、その送信要件に依存して、アンカーキャリア又は補助キャリアのいずれかの上で送信を行うようにスケジューリングし得る。例えば、高データレート送信を有する移動端末を、時間分割多重（ＴＤＭ：time-division  multiplexing）を用いて補助キャリア上で送信を行うようにスケジューリングすることがより効率的であり得る。なぜならば、ＴＤＭは、ユーザ間のより良好な直交性を提供するからである。一方で、低データレート送信については、基地局２０は、移動端末を、符号分割多重（ＣＤＭ：code-division  multiplexing）を用いてアンカーキャリア上で送信を行うようにスケジューリングし得る。なぜならば、ＣＤＭは、より良好なトランキング効率を有するからである。表１は、本発明の１つの実施形態についての、アンカーキャリアと補助キャリアとの間の違いを要約している。
【００１７】
【表１】
0005564565.tif 000002
【００１８】
キャリアの割当ては、ダウンリンク制御チャネル上で送信されるスケジューリング許可（grant）内で移動端末１００へシグナリングされ得る。例えば、移動端末１００へのキャリアの割当てを、拡張絶対許可チャネル（Ｅ−ＡＧＣＨ：Enhanced  Absolute  Grant  Channel）上で送信される絶対許可の一部として、移動端末１００へ送信することができる。当分野で知られているように、スケジューラは、絶対許可を送信することにより、移動端末１００のサービング許可を更新することができる。絶対許可は、当該許可が適用されるキャリアを特定するフィールドを含むように修正されてよい。絶対許可に応じて、移動端末１００は、スイッチングが必要である場合に絶対許可において特定されるキャリアへ、スイッチングし得る。
【００１９】
移動端末１００をアンカーキャリア又は補助キャリアに割当てる決定は、移動端末１００から受信されるスケジューリング情報に基づいて、基地局２０におけるスケジューラによりなされる。上述したように、当該スケジューリング情報は、例えば、バッファレベル、利用可能な送信電力、ＱｏＳ要件などを含み得る。そうした情報は、拡張専用チャネル（Ｅ−ＤＣＨ）上の帯域内で送信され得る。追加的に、移動端末１００は、拡張専用物理制御チャネル（Ｅ−ＤＰＣＣＨ）上で、“ハッピービット（happy  bit）”ともいう満足度標識（happiness  indication）を送信し得る。概して言うと、満足度標識は、サービング許可によりその時点で許されているよりも大きいデータレートで移動端末１００がＥ−ＤＣＨ上で送信を行うことができるかを示す単一のビットを含む。移動端末１００がサービング許可により許されているよりも高いデータレートで送信するための利用可能な電力を有し、バッファ内の複数のビットが予め決定された数よりも多いＴＴＩを送信のために要する場合、移動端末１００は、“不満足（not  happy）”を示す予め決定される第１の値に、ハッピービットを設定する。“不満足”とは、移動端末１００がより高いデータレートで送信を行うことを望んでいることを意味する。そうでなければ、移動端末１００は、“満足（happy）”を示す予め決定される第２の値に、ハッピービットを設定する。なお、Ｅ−ＤＰＣＣＨはＥ−ＤＰＤＣＨと共にのみ送信されるため、ハッピービットは、継続中のデータ送信と連動してのみ送信される。
【００２０】
本発明のいくつかの実施形態において、満足度標識は、キャリアのスイッチングを容易にするために使用され得る。例えば、移動端末１０が現在アンカーキャリア上でデータを送信しているものとする。満足度標識が“満足”に設定されると、基地局２０におけるスケジューラは、アンカーキャリア上に移動端末１００をスケジューリングし続け得る。一方、満足度標識が“不満足”に設定されると、基地局２０におけるスケジューラは、アンカーキャリア上で他のユーザへ干渉を生じさせることなくより高いデータ送信レートを可能とするために、移動端末１００を補助キャリアへスイッチングすることができる。
【００２１】
いくつかの実施形態において、満足度の２つよりも多くのレベルが定義されてもよく、満足度標識は１つよりも多くのビットを含んでもよい。満足度の様々なレベルは、現在のサービング許可の下で移動端末１００がその送信バッファを空にするために要するＴＴＩの数と関連し得る。例えば、３つのレベルの満足度標識を２つの閾値を用いて定義することができ、それらをここではＴ１、及びＴ１よりも小さいＴ２という。送信バッファを空にするために要するＴＴＩの数がＴ１よりも多ければ、移動端末１００は、満足度標識を“不満足”に設定し得る。送信バッファを空にするために要するＴＴＩの数がＴ２よりも多くＴ１よりも少なければ、移動端末１００は、満足度標識を“やや満足（slightly  happy）”に設定し得る。最後に、送信バッファを空にするために要するＴＴＩの数がＴ２よりも少なければ、移動端末１００は、満足度標識を“満足”に設定することができる。
【００２２】
いくつかの実施形態において、その時点の許可レートで送信バッファを空にするために移動端末１００が要するＴＴＩの数を表現するＴＮという複数の閾値を設けることにより、“満足度”のいくつものレベルを定義することができる。例えば、移動端末１００がＮ個のＴＴＩまでにそのバッファを空にすることができ、Ｎ＞Ｔ１であれば、ハッピービットは“不満足”に設定され得る。Ｔ２≦Ｎ≦Ｔ１であれば、ハッピービットは“やや満足”に設定され得る。Ｎ＜Ｔ２であれば、ハッピービットは“満足”に設定され得る。“不満足”は、補助キャリアへのスイッチング又は補助キャリア上の継続を意味し得る。“やや満足”は、補助キャリア上であればアンカーキャリアへのスイッチングを意味し得る。“満足”は、アンカーキャリア上の継続、又は一時的な送信の中止を意味し得る。
【００２３】
システムが２つよりも多くのタイプのキャリアを使用する場合、満足度標識を、特定のキャリアを選択するようにスケジューラにバイアスをかけるために使用することができる。１つの例示的な実施形態において、当該システムは、低データレートのキャリア、中データレートのキャリア及び高データレートのキャリアと共に構成され得る。この例において、満足度標識を、満足度のレベルが下がるに従ってより高いデータレートに向けてスケジューラにバイアスをかけるように使用することができる。バイアスの程度は、満足度のレベルに依存し得る。いずれにしろ、本発明のいくつかの実施形態は、どのキャリア又はどのタイプのキャリア及び恐らくはいくつのキャリアがＵＥにとってスケジューリングされる必要があるのかを判定するために、スケジューラにおいて“（１つ又は複数の）ハッピービット”を使用する。
【００２４】
図３は、アップリンク上での複数の移動端末１００からの送信を制御するための、基地局２０により実装される例示的な方法１５０を示している。基地局２０は、第１のアップリンクキャリア上の干渉レベルを第１の干渉目標（interference  target）を充足するように制御する（ブロック１５２）。第１の干渉目標とは、例えば、ある低いレベルの干渉を含み得る。また、基地局２０は、第２のアップリンクキャリア上の干渉レベルを第１の干渉目標よりも高い第２の干渉目標を充足するように制御する（ブロック１５４）。基地局２０におけるスケジューラは、複数の移動端末についてデータ送信要件を判定する（ブロック１５６）。データ送信要件に基づいて、スケジューラは、移動端末１００の各々をアップリンクキャリアの１つに割当てる（ブロック１５８）。例えば、基地局２０におけるスケジューラは、低データレートの移動端末１００を第１のアップリンクキャリアに、高データレートの移動端末を第２のアップリンクキャリアに割当ててよい。また、キャリアの選択において、ＱｏＳ要件が考慮されてもよい。例えば、遅延への許容性（tolerance）の低い移動端末１００が第１のキャリアに割当てられてもよい。
【００２５】
図４は、基地局２０内のスケジューラにより実装される、移動端末１００からのアップリンク送信のためにキャリアを選択する方法２００を示している。方法２００は、スケジューラが移動端末１００を第１のアップリンクキャリアに割当てると開始され、移動端末１００からの送信信号の受信が始まる（ブロック２０２）。移動端末１００がデータを送信している際、移動端末１００は、Ｅ−ＤＰＣＣＨ上で満足度標識をも送信し得る。基地局２０におけるスケジューラは、移動端末１００からの満足度標識を受信する（ブロック２０４）。スケジューラは、満足度標識に少なくとも部分的に依存して、移動端末１００を第２のアップリンクキャリアに再割当てする（ブロック２０６）。例えば、低データレートユーザについて、移動端末１００がアンカーキャリア上で送信を行っている場合、移動端末１００が“不満足”であることを移動端末１００により送信された満足度標識が示していれば、スケジューラは、移動端末１００を第２のキャリアへ再割当てし得る。他の実施形態において、満足度標識は、満足度のレベルが下がるに従ってより高いデータレートに向けてスケジューリング決定にバイアスをかけるために使用されてもよい。
【００２６】
図５は、本発明の１つの実施形態に係る例示的な基地局２０を示している。基地局２０は、１つ以上のアンテナ２２とベースバンドプロセッサ２６とに接続される送受信機２４を備える。送受信機２４は、移動端末１００へ信号を送信するための送信機と、移動端末１００からの信号を受信するための受信機と、を含む。ベースバンドプロセッサ２６は、１つ以上のプロセッサ、マイクロコントローラ、ハードウェア、又はそれらの組合せを含む。ベースバンドプロセッサ２６は、送受信機２４により送信され及び受信される信号を処理する。例えば、ベースバンドプロセッサ２６は、符号化／復号、変調／復調、インターリービング／デインターリービング、及び他のチャネル符号化動作を実行し得る。ベースバンドプロセッサ２６は、移動端末１００からのアップリンク送信をスケジューリングするためのスケジューラ２８を含む。スケジューラ２８は、図３及び図４に示した方法を実行するためのロジックを含む。
【００２７】
本発明は、当然ながら、本発明の本質的な特徴から外れることなく、ここで具体的に説明したものとはことなる手法で実行されてもよい。本実施形態は、全ての観点で例示的なものであって、限定的なものではないと考えられるべきであり、添付の特許請求の範囲の意味及び均等の範囲内の全ての変更は、ここに包含されるものと意図される。
【図１】
0005564565.tif 000003
【図２】
0005564565.tif 000004
【図３】
0005564565.tif 000005
【図４】
0005564565.tif 000006
【図５】
0005564565.tif 000007